(57)【要約】【課題】消費財保管庫の在庫情報に基づく消費財の購入に際し、各店舗における消費財の不足分に応じた価格情報等の購入支援情報を提供し、各利用者消費財購入時における労力の軽減を図ることのできる消費財保管庫システムを提供する。【解決手段】消費財保管庫１１１の消費財管理装置１１２は、当該庫内に収納・保管される食材等の消費財の在庫情報の管理を行うとともに、利用者の作成しようとする料理（加工品）に必要な消費財についての不足消費財リストをメインサーバ１３０に送信する。メインサーバ１３０は、受信した不足消費財リストに基づき、購入支援情報データベース１３１から消費財購入先としての各店舗における消費財の価格情報等を取得して購入支援情報を生成し、消費財管理装置１１２に送信する。消費財管理装置１１２は、メインサーバ１３０から受信した購入支援情報を利用者に対して表示する。【選択図】　　　図１
2004102376.tif 000002
【特許請求の範囲】
【請求項１】
消費財保管庫内に収納して保管された消費財の在庫情報を格納する在庫情報データベースを備え、前記消費財の在庫管理を行う消費財管理装置と、
前記消費財の購入先としての店舗に関する店舗情報と、各店舗における消費財の価格情報とを格納した購入支援情報データベースを備え、前記消費財管理装置に対しネットワークを介して接続されたメインサーバとから構成される消費財保管庫システムであって、
前記消費財管理装置は、加工品の作成に必要とする消費財を示す必要消費財情報の入力又は送信を受け付け、当該必要消費財情報に含まれる消費財について前記在庫情報データベースから在庫情報を取得し、前記必要消費財情報に含まれる各消費財の必要量と前記消費財の在庫情報とから前記消費財の不足分を算出して生成した不足消費財リストを前記メインサーバに送信する手段を備え、
前記メインサーバは、受信した不足消費財リストに含まれる消費財についての前記店舗情報と前記価格情報とを含む購入支援情報を前記購入支援情報データベースから取得し前記消費財管理装置に送信する手段を備え、
前記消費財管理装置は、前記不足消費財リストに含まれる消費財について前記メインサーバから受信した前記購入支援情報を表示する手段をさらに備えることを特徴とする消費財保管庫システム。
【請求項２】
前記購入支援情報データベースには、前記必要消費財情報が格納されるものとし、
前記メインサーバは利用者による加工品の選択に応じ、前記購入支援情報データベースから前記必要消費財情報を取得し、前記消費財管理装置に送信することを特徴とする請求項１に記載の消費財保管庫システム。
【請求項３】
前記メインサーバは、前記消費財管理装置から不足消費財リストを受信した際に、前記購入支援情報データベースから取得した前記店舗情報及び前記価格情報に基づき、前記不足分についての各店舗毎の合計金額を算出し、前記購入支援情報に前記合計金額を含めて送信することを特徴とする請求項１又は２に記載の消費財保管庫システム。
【請求項４】
前記店舗情報は各店舗の所在地情報を含むものとし、前記メインサーバは、前記消費財管理装置から不足消費財リストを受信した際に、前記所在地情報に基づき前記消費財保管庫からの距離情報を算出し、前記購入支援情報に前記距離情報を含めて送信することを特徴とする請求項１〜３のいずれかに記載の消費財保管庫システム。
【請求項５】
消費財の購入先としての店舗に関する店舗情報と各店舗における消費財の価格情報とを含む購入支援情報を格納した購入支援情報データベースを備えたメインサーバに対し、ネットワークを介して接続された消費財管理装置であって、
前記消費財管理装置は、消費財保管庫内に収納して保管された消費財の在庫情報を格納する在庫情報データベースと、
加工品の作成に必要とする消費財を示す必要消費財情報の入力又は送信を受け付け、当該必要消費財情報に含まれる消費財について前記在庫情報データベースから在庫情報を取得し、前記必要消費財情報に含まれる各消費財の必要量と前記消費財の在庫情報とから前記消費財の不足分を算出して生成した不足消費財リストを前記メインサーバに送信する手段と、
前記不足消費財リストに含まれる消費財について、前記メインサーバから受信した購入支援情報を表示する手段と
を備えることを特徴とする消費財管理装置。
【発明の詳細な説明】
【０００１】
【発明の属する技術分野】
本発明はネットワークで接続された冷蔵庫などの消費財を収納・保管する消費財保管庫システムに係り、特に不足消費財の購入支援を行うシステムに関する。
【０００２】
【従来の技術】
従来の消費財の購入支援を行う消費財保管庫システムは、消費財保管庫に内蔵された在庫管理部と、業者の受注システムに対しネットワークを介して接続された発注部とを備えており、利用者の入力した料理に必要な消費財について、前記在庫管理部により消費財保管庫内の各消費財の消費期限及び在庫量を確認し、前記発注部により業者の受注システムに対して不足する消費財の発注を可能とする（例えば、特許文献１参照。）。
一方、従来の食品管理・加工システムは、消費財保管庫の在庫情報を格納する個人用食品管理データベースを備え、消費財の購入先としての店舗等において携帯型端末によりインターネットを介して前記個人用食品管理データベースにアクセスして前記在庫情報を確認することを可能とする（例えば、特許文献２参照。）。
【０００３】
【特許文献１】
特開２００１−１３４７０７号公報（第４―５頁、図１，図３，図６）
【特許文献２】
特開２００２−１４７９２９号公報（第１０−１１頁、図１）
【０００４】
【発明が解決しようとする課題】
しかしながら、前記特許文献１に記載の消費財保管庫システムは、消費財保管庫内の在庫情報を確認して消費財の不足分の発注を業者の受注システムに対して行うものであり、利用者が店舗に赴き、消費財を直接購入するような場合に情報の提供を行うことを想定したものではなかった。一方、前記特許文献２に記載の消費財保管庫システムでは利用者が店舗で消費財を直接購入する際に在庫情報の確認を可能としたものであるが、消費財購入先としての店舗や消費財の価格に関する情報を提供するものではなかった。
従って、利用者が在庫情報に基づく消費財の不足分について店舗で直接購入することを希望するような場合、例えば生鮮食品等のように個々に鮮度等の品質が異なる消費財について直接確認してから購入することを希望する場合には、購入先の店舗及び各店舗における価格等を別途調べることが必要となっていた。特に、各店舗における価格等の比較を行うためには複数の店舗を巡回すること等が必要となり、利用者の労力が多大なものとなっていた。
【０００５】
本発明は前記課題を解決するためのものであり、消費財保管庫の在庫情報に基づく消費財の購入に関して、各店舗における価格情報等の購入支援情報を提供することにより、利用者が店舗に赴き消費財を購入する場合の労力の軽減を図ることのできる消費財保管庫システムを提供することを目的とする。
【０００６】
【課題を解決するための手段】
前記課題を解決するため、本発明は消費財保管庫内に収納して保管された消費財の在庫情報を格納する在庫情報データベースを備え、前記消費財の在庫管理を行う消費財管理装置と、前記消費財の購入先としての店舗に関する店舗情報と、各店舗における消費財の価格情報とを格納した購入支援情報データベースを備え、前記消費財管理装置に対しネットワークを介して接続されたメインサーバとから構成される消費財保管庫システムであって、前記消費財管理装置は、加工品の作成に必要とする消費財を示す必要消費財情報の入力又は送信を受け付け、当該必要消費財情報に含まれる消費財について前記在庫情報データベースから在庫情報を取得し、前記必要消費財情報に含まれる各消費財の必要量と前記消費財の在庫情報とから前記消費財の不足分を算出して生成した不足消費財リストを前記メインサーバに送信する手段を備え、前記メインサーバは、受信した不足消費財リストに含まれる消費財についての前記店舗情報と前記価格情報とを含む購入支援情報を前記購入支援情報データベースから取得し前記消費財管理装置に送信する手段を備え、前記消費財管理装置は、前記不足消費財リストに含まれる消費財について前記メインサーバから受信した前記購入支援情報を表示する手段をさらに備えることを特徴とする。
また、前記購入支援情報データベースには、加工品の作成に必要となる消費財を示す必要消費財情報を含むものとし、前記メインサーバは利用者による加工品の選択に応じ、前記購入支援情報データベースから前記必要消費財情報を取得し、前記消費財管理装置に送信することを特徴とする。
また、前記メインサーバは、前記消費財管理装置から不足消費財リストを受信した際に、前記購入支援情報データベースから取得した前記店舗情報及び前記価格情報に基づき、前記不足分についての各店舗毎の合計金額を算出し、前記購入支援情報に前記合計金額を含めて送信することを特徴とする。
また、前記店舗情報は各店舗の所在地情報を含むものとし、前記メインサーバは、前記消費財管理装置から不足消費財リストを受信した際に、前記所在地情報に基づき前記消費財保管庫からの距離情報を算出し、前記購入支援情報に前記距離情報を含めて送信することを特徴とする。
【０００７】
消費財の購入先としての店舗に関する店舗情報と、各店舗における消費財の価格情報とを含む購入支援情報を格納した購入支援情報データベースを備えたメインサーバに対しネットワークを介して接続された消費財管理装置であって、前記消費財管理装置は、消費財保管庫内に収納して保管された消費財の在庫情報を格納する在庫情報データベースと、加工品の作成に必要とする消費財を示す必要消費財情報の入力又は送信を受け付け、当該必要消費財情報に含まれる消費財について前記在庫情報データベースから在庫情報を取得し、前記必要消費財情報に含まれる各消費財の必要量と前記消費財の在庫情報とから前記消費財の不足分を算出して生成した不足消費財リストを前記メインサーバに送信する手段と、前記不足消費財リストに含まれる消費財について、前記メインサーバから受信した購入支援情報を表示する手段とを備えることを特徴とする。
【０００８】
【発明の実施の形態】
以下、本発明の実施の形態について図面に基づき説明する。
図１は、本実施の形態に係る消費財保管庫システムの概略構成を示すブロック図である。
本消費財保管庫システムは、図１に示すように住宅１１０内に設置された冷蔵庫等の消費財保管庫１１１と、当該消費財保管庫１１１に対しネットワーク１２０を介して接続されたメインサーバ１３０とから構成される。
消費財保管庫１１１は、当該庫内に収納・保管される食材等の消費財の在庫情報の管理を行うとともに、利用者の作成しようとする料理（加工品）に必要な消費財に関して不足消費財リストをメインサーバ１３０に送信し、購入支援情報をメインサーバ１３０から取得して表示する消費財管理装置１１２を備える。
消費財保管庫システムからはメインサーバ１３０に対して、リクエストを送信することができる。
メインサーバ１３０は、購入支援情報データベース１３１を備え、消費財管理装置１１２から送信された消費財の不足消費財リストに基づき購入支援情報データベース１３１から購入支援情報を取得し、消費財管理装置１１２に送信する。
メインサーバ１３０は、ネットワーク１２０を介して複数の流通業者端末１４０Ａ〜Ｃに接続されている。各流通業者端末１４０Ａ〜Ｃは、各流通業者の管理する商品購入先としての店舗の情報をメインサーバ１３０に送信するものである。
【０００９】
図２は消費財保管庫１１１に備えられた消費財管理装置１１２の概略構成を示すブロック図である。
消費財管理装置１１２は図２に示すように在庫管理部２０１と、入力・表示部２０２と、中央制御部２０３と、送受信処理部２０４とを備え、消費財在庫情報データベース２０５を有している。
在庫管理部２０１は消費財保管庫１１１内に収納・保管された消費財２１０から各消費財情報を取得し、中央制御部２０３を介して消費財在庫情報データベース２０５に在庫情報として格納する。各消費財２１０の消費財情報の取得は、消費財２１０に付けられたバーコードの読み取り、消費財２１０に付けられた無線タグからの情報の受信、または、利用者による入力等、公知の方法により行う。
入力・表示部２０２は、利用者に消費財２１０についての消費財情報の入力操作，購入支援情報取得時の加工品の選択操作等をさせるとともに、メインサーバ１３０から取得した購入支援情報を表示する。
中央制御部２０３は利用者により入力・表示部２０２を用いて入力された加工品の選択に基づき、メインサーバ１３０から前記加工品の作成に必要な消費財の情報を取得するとともに前記消費財の在庫情報を消費財在庫情報データベース２０５から取得し、前記消費財の不足分を算出する。中央制御部２０３は、算出した消費財の不足分について不足消費財リストをメインサーバ１３０に送信し、メインサーバ１３０から購入支援情報を取得する。
送受信処理部２０４は、ネットワーク１２０を介してメインサーバ１３０との間でデータの送受信を行う。
図示はしていないが、中央制御部２０３は入力・表示部２０２を使い、利用者所在地情報をサーバに送付し、利用者が選択する交通手段によって、広範囲に渡って選択可能となる店舗や、さらに店舗地図や、商品の在庫などの各店舗が有する広告的な情報を表示選択することも可能となる。また、ユーザの意図によって必要となった食材、メニューのカスタマイズによって必要となった食材の要求も可能とする。
【００１０】
図３は、在庫管理部２０１の有する消費財在庫情報データベース２０５のデータ構造の一例を示す図である。
消費財在庫情報データベース２０５は、消費財保管庫１１１内に収納・保管された各消費財について在庫管理部１１２により格納された在庫情報として、図３に示すように、名称３０１と、消費期限３０２と、在庫数３０３等の各種情報を有している。
【００１１】
図４は、購入支援情報データベース１３１を構成する店舗情報テーブルのデータ構造の一例を示す図である。
店舗情報テーブル４００は、図４に示すように、流通業者に管理された各店舗の店舗名４０１と、当該店舗を管理する流通業者の業者名４０２と、各店舗の住所を示す所在地情報４０３との各種情報を有している。図示はしていないが他に地図情報なども合わせもち、必要に応じて利用者に対して表示させることができる。
【００１２】
図５は、購入支援情報データベース１３１を構成する消費財価格テーブルのデータ構造の一例を示す図である。
消費財価格テーブル５００は、図５に示すように、各消費財の名称５０１と、当該消費財についての各店舗毎の単価５０２と、店舗名５０３と、前記単価５０２に示す価格での販売時期を示す価格有効化開始時期５０４及び価格有効化終了時期５０５との各種情報を有している。
単価５０２は各店舗における基準販売量について設定された価格を示す。例えば、消費財「ジャガイモ」が１袋５個入りを基準に販売されている場合には、１袋単位の価格が表示される。
消費財価格テーブル５００に格納される各種情報は、流通業者端末１４０Ａ〜Ｃが流通業者からの入力を受け付けて、メインサーバ１３０に送信した店舗情報に基づき更新される。
【００１３】
図６は、購入支援情報データベース１３１を構成する加工品テーブルのデータ構造の一例を示す図である。
加工品テーブル６００は、図６に示すように、各加工品を示す加工品名称６０１と、各加工品の材料となる消費財を示す消費財名称６０２と、各加工品を作るために必要な消費財の分量を示す消費財必要量６０３との各種情報を有している。なお、加工品テーブル６００に格納される各種情報は予め登録されている。
【００１４】
以上のように構成された本実施の形態に係る消費財保管庫システムによる消費財の購入支援情報の取得処理を説明する。
図７は、購入支援情報の取得処理においてメインサーバ１３０から情報に基づき利用者の選択した加工品についての必要消費財リストと不足消費財リストとを表示するまでの処理手順を示すフローチャ−トである。
消費財管理装置１１２の中央制御部２０３は、利用者による入力・表示部２０２の操作に応じて後述する加工品情報表示画面を起動し（ステップ７０１）、メインサーバ１３０に対して送受信処理部２０４を介して加工品リストの送信要求を行う（ステップ７０２）。
加工品リストの送信要求を受信したメインサーバ１３０は購入支援情報データベース１３１内の加工品テーブル６００から加工品名称６０１の一覧を取得し（ステップ７０３）、加工品リストとして消費財管理装置１１２に送信する（ステップ７０４）。
送受信処理部２０４を介して加工品リストを受信した中央制御部２０３は、入力・表示部２０２により加工品情報表示画面に加工品リストを表示する（ステップ７０５）。
中央制御部２０３は、利用者の入力・表示部２０２の操作により、加工品情報表示画面に表示された加工品リストの中から加工品の選択を受け付け（ステップ７０６）、メインサーバ１３０に対して送受信処理部２０４を介して必要消費財リストの送信要求を行う（ステップ７０７）。
必要消費財リストの送信要求を受信したメインサーバ１３０は、利用者に選択された加工品について購入支援情報データベース１３１内の加工品テーブル６００から消費財名称６０３及び消費財必要量６０４の一覧を取得し（ステップ７０８）、各情報に基づき必要消費財リストを生成して消費財管理装置１１２に送信する（ステップ７０９）。
送受信処理部２０４を介して必要消費財リストを受信した中央制御部２０３は、必要消費財リストに含まれる消費財について、消費財在庫情報データベース２０５から在庫情報を取得し各消費財の不足分を算出する（ステップ７１０）。不足分の算出は、必要消費財リストに含まれる各消費財の必要量から在庫情報に含まれる各消費財の在庫３０３の数を差し引きすることにより行う。
中央制御部２０３は、加工品情報表示画面に前記必要消費財リストを表示するとともに、各消費財の不足分に基づく不足消費財リストを表示する（ステップ７１１）。
【００１５】
図８は、加工品情報表示画面の一例を示す図である。
図８に示すように、加工品選択画面８００は、加工品リスト表示欄８０１と、必要消費財リスト表示欄８０２と、不足消費財リスト表示欄８０３と、加工品数量入力欄８０４と、購入先検索ボタン８０５及びキャンセルボタン８０６とを有する。
加工品リスト表示欄８０１には、ステップ７０４でメインサーバ１３０が送信した加工品リストとして加工品名の一覧を表示し、利用者による加工品の選択を受け付ける。
必要消費財リスト表示欄８０２は、ステップ７０９でメインサーバ１３０が送信した必要消費財リストとして消費財名称及び必要量を表示する。
不足消費財リスト表示欄８０３は、ステップ７１０で消費財管理装置１１２が算出した消費財不足分に基づき、不足する消費財名称及び不足量を表示する。
なお、利用者により加工品数量入力欄８０４への入力が行われた場合には、必要消費財リストに含まれる各消費財の必要量に対し加工品数量入力欄８０２に入力された数値を乗算して必要量を算出するとともに、算出した必要量に基づき不足分の算出を行い、必要消費財リスト表示欄８０２及び不足消費財リスト表示欄８０３に各算出結果を表示する。
必要消費財リスト及び不足消費財リストが各表示欄８０３，８０４に表示された状態で購入先選択ボタン８０５が操作されると、消費財管理装置１１２の中央制御部２０３は、以下の購入先支援情報表示処理を行う。一方、キャンセルボタン８０６が操作された場合には、再度、ステップ７０３〜ステップ７１１の処理を行う。
【００１６】
図９は、購入支援情報取得処理において、中央制御部２０３の生成した不足消費財リストに基づき購入支援情報としての購入先リストを表示する処理手順を示すフローチャートである。
中央制御部２０３は、利用者による購入先選択ボタン８０５の操作を受け付け（ステップ９０１）、メインサーバ１３０に対して送受信処理部２０４を介して不足消費財リストを送信し、購入先検索処理要求を行う（ステップ９０２）。
不足消費財リストを受信したメインサーバ１３０は、購入支援情報データベース１３１の消費財価格テーブル５００から不足消費財リストに含まれる消費財について価格５０２及び店舗名５０３の各情報を取得する（ステップ９０３）。この場合、価格有効化開始時期５０４，価格有効化終了時期５０５を参照し、メインサーバ１３が処理を行う時点で有効な価格５０２のみを取得する。
メインサーバ１３０は、各店舗名５０３毎に各消費財の不足分を充足するための購入量を決定し、当該購入量に応じた価格を算出するとともに、各店舗毎に消費財の購入に必要な総額を算出する（ステップ９０４）。ここで各消費財の購入量は消費財価格テーブル５００の単価５０２に示す基準販売量に基づき決定される。例えば、図８の加工品情報表示画面８００の不足消費財リスト８０４では、不足分として「ジャガイモ２個」と表示されているが、店舗Ａ，Ｂでは１袋単位で単価５０２の数値が設定されているため１袋単位で購入量を決定し、価格の算出及び合計金額の算出を行う。
また、メインサーバ１３０は、各店舗名５０３に基づき、購入支援情報データベース１３１の店舗情報テーブル４００から各店舗の所在地情報４０３を取得し（ステップ９０５）、消費財保管庫１１１の設置されている住宅１１０から各店舗までの距離を算出する（ステップ９０６）。ここで、距離の算出には、カーナビゲーションシステム等で用いられている公知の方法を利用する。
メインサーバ１３０は、各店舗毎の消費財の金額，合計金額，距離等から購入支援情報としての購入先リストを生成し、消費財管理装置１１２に送信する（ステップ９０７）。
送受信処理部２０４を介して購入先リストを受信した中央制御部２０３は、入力・表示部２０２により購入先リスト表示画面を表示する（ステップ９０８）。
【００１７】
図１０は、購入先の検索結果としての購入先リスト表示画面の一例を示す図である。
購入先リスト表示画面１０００は、店舗名表示欄１００１、業者名表示欄１００２、距離表示欄１００３、消費財総額表示欄１００４、消費財別金額表示欄１００５の各表示欄を有している。消費財別金額表示欄１００５には、各消費財について購入量１００６と、当該購入量１００６に対応する購入金額１００７とが表示される。
店舗名表示欄１００１には、メインサーバ１３０から受信した購入先リストに含まれる店舗名が消費財の合計金額の安い順に並べて表示される。
距離表示欄１００３，消費財総額表示欄１００４では、それぞれの最小値１００８，１００９を強調して表示する。
利用者は購入先リスト表示画面１０００に表示された情報により、消費財の価格，店舗の距離等に基づいて消費財の購入先を決定することとなる。
【００１８】
以上のように、本実施の形態では、消費財保管庫内に収納・保管される消費財の在庫を管理する消費財管理装置を備えるとともに、加工品を作成する際に必要な消費財の不足分について、各店舗毎の価格情報を含む購入支援情報を提供するメインサーバを備えることにより、住宅に居ながら前記不足分に対する各店舗の価格の比較を行なうことができるため、利用者が店舗に赴き消費財を確認して購入する際に複数店舗を巡って価格を調べる等の労力を無くすことが可能となる。
また、各店舗毎の価格情報として消費財の不足分についての合計金額を含めたので、各利用者は一店舗で消費財の不足分の全てを購入する場合に、最も安く購入することが可能な店舗を容易に判断することができる。
また、購入支援情報に店舗の位置情報に基づき算出した距離情報を含めたので、各利用者は消費財の価格及び店舗までの距離に応じて購入先の決定を行うことができる。
【００１９】
なお、前記実施の形態では、加工品情報表示画面として利用者により選択された１つの加工品についての必要消費財を表示することとしているが、これに限られるものではなく、利用者による複数の加工品の選択を可能とし、選択された複数の加工品に関する必要消費財と不足消費財とを一括して表示することとしてもよい。
また、前記実施の形態では、メインサーバが生成して送信した必要消費財リストに含まれる必要消費財により不足消費財の算出を行うこととしているが、必要消費財については利用者に直接入力させることとしてもよい。
【００２０】
【発明の効果】
以上のように、本発明によれば、消費財の在庫情報に基づき消費財の不足分を算出する消費財管理装置と、当該不足分についての各店舗毎の価格情報を含む購入支援情報を提供するメインサーバを備えたので、利用者が店舗に赴き消費財を購入する際の価格の比較等の労力を軽減することが可能となる。
【図面の簡単な説明】
【図１】本発明の一実施の形態に係る消費財保管庫システムの概略構成を示すブロック図である。
【図２】本発明の消費財保管庫システムに用いられる消費財保管庫に備えられた消費財管理装置の概略構成を示すブロック図である。
【図３】本発明の消費財管理装置の消費財在庫情報データベースのデータ構造の一例を示す図である。
【図４】購入支援情報データベースを構成する店舗情報テーブルのデータ構造の一例を示す図である。
【図５】購入支援情報データベースを構成する消費財価格テーブルのデータ構造の一例を示す図である。
【図６】購入支援情報データベースを構成する加工品テーブルのデータ構造の一例を示す図である。
【図７】本発明の一実施の形態による消費財保管庫システムにおいて加工品の必要消費財リスト及び不足消費財リストを表示する処理手順を示すフローチャートである。
【図８】加工品情報表示画面の構成の一例を示す図である。
【図９】本発明の一実施の形態による消費財保管庫システムにおいて購入支援情報を表示する処理手順を示すフローチャートである。
【図１０】購入先リスト表示画面の構成の一例を示す図である。
【符号の説明】
１１１　消費財保管庫、１１２　消費財管理装置、１２０　ネットワーク、１３０　メインサーバ、１３１　購入支援情報データベース、１４０Ａ〜Ｃ　流通業者端末、１４１Ａ〜Ｃ　店舗、２０１　在庫管理部、２０２　入力・表示部、２０３　中央制御部、２０４　送受信処理部、２０５　消費財在庫情報データベース、４００　店舗情報テーブル、５００　消費財価格テーブル、６００　加工品テーブル。
【図１】
2004102376.tif 000003
【図２】
2004102376.tif 000004
【図３】
2004102376.tif 000005
【図４】
2004102376.tif 000006
【図５】
2004102376.tif 000007
【図６】
2004102376.tif 000008
【図７】
2004102376.tif 000009
【図８】
2004102376.tif 000010
【図９】
2004102376.tif 000011
【図１０】
2004102376.tif 000012